(57)【要約】  【課題】  内容器に設けた壁で蓋に嵌めこみ、壁を、蓋と内容器との嵌合部に利用する。【解決手段】  食品包装用容器１１は、平面視方形からなり、蓋２１を被せ、周囲に枠４１を嵌めて取り付けることが可能な内容器３１の対向する両側部３２に沿って側部３２と平行に連続して内容器３１の側部３２よりも高い壁３４を設け、対向する両側部３２の対向箇所双方に壁３４を有する箇所を有するが、隅部３３に沿っては壁３４を設けない。  蓋２１と内容器３１の嵌合時に、内容器に設けた壁との嵌合部２５を蓋２１に設ける。【選択図】図１
2020006987.tif 000002
【特許請求の範囲】
【請求項１】
平面視方形からなり、蓋を被せ、周囲に枠を嵌めて取り付けることが可能な内容器の対向する両側部に沿って側部と平行に連続して内容器の側部よりも高い壁を設け、対向する両側部の対向箇所双方に壁を有する箇所を有し、
蓋と内容器の嵌合時に、内容器に設けた壁との嵌合部を蓋に設けることを特徴とする食品包装用容器。
【請求項２】
隅部に沿っては壁を設けない請求項１記載の食品包装用容器。
【請求項３】
蓋に設ける、内容器に設けた壁との嵌合部は、上部から下部へ斜めにする請求項１又は請求項２いずれか記載の食品包装用容器。
【請求項４】
壁となる内容器の側面は、内容器縁から一度上方に持ち上げて壁外側面を形成し、曲げて壁頂点を形成してから底面に向けて下げて壁内側面を形成し、壁内側面は底面側に行くほど内容器内側に入り、底面側に行くほど壁外側面との間隔を広げように設ける、
請求項１又は請求項２又は請求項３いずれか記載の食品包装用容器。
【請求項５】
内容器と蓋との嵌合部が設けられた外側の角部に、
上下方向への取り外し部を設ける
請求項１又は請求項２又は請求項３又は請求項４いずれか記載の食品包装用容器。
【請求項６】
壁となる内容器の側面は、内容器縁から一度上方に持ち上げて壁外側面を形成し、曲げて壁頂点を形成してから底面に向けて下げて壁内側面を形成し、壁内側面は底面側に行くほど内容器内側に入り、底面側に行くほど壁外側面との間隔を広げるように設ける。
請求項１又は請求項２又は請求項３又は請求項４又は請求項５いずれか記載の食品包装用容器。
【請求項７】
内容器の隅部からは、底面方向に凸状をなす内容器嵌合用凸部を設け、枠に嵌合させる枠嵌合部を、内容器嵌合用凸部側部に外側に向けて突設させる、請求項１又は請求項２又は請求項３又は請求項４又は請求項５又は請求項６いずれか記載の食品包装用容器。
【請求項８】
内容器側部の３分の１以上の長さの壁を側部に設ける、請求項１又は請求項２又は請求項３又は請求項４又は請求項５又は請求項６又は請求項７いずれか記載の食品包装用容器。
【請求項９】
壁は、壁を除いた側部高さの１／３乃至１／４となる、請求項１又は請求項２又は請求項３又は請求項４又は請求項５又は請求項６又は請求項７又は請求項８いずれか記載の食品包装用容器。
【請求項１０】
内容器側部上部から５ｍｍ以上突出する高さの壁を設ける、請求項１又は請求項２又は請求項３又は請求項４又は請求項５又は請求項６又は請求項７又は請求項８又は請求項９いずれか記載の食品包装用容器。
【請求項１１】
内容器側部上部から３ｍｍ乃至１０ｍｍ突出する高さの壁を設ける、請求項１又は請求項２又は請求項３又は請求項４又は請求項５又は請求項６又は請求項７又は請求項８又は請求項９又は請求項１０いずれか記載の食品包装用容器。
【発明の詳細な説明】
【技術分野】
【０００１】
本発明は、食品包装用容器に係る。詳細には、浅底な内容器からなる食品包装用容器に係る。
【背景技術】
【０００２】
食品包装用容器としては、例えば、高級感を出すため、底板である内容器の周囲に、縁材である枠部あるいは枠を嵌めて取り付けるとともに、蓋を内容器に被せ、食品包装用容器とするものが知られている（特許文献１、特許文献２、特許文献３、特許文献４、特許文献５）。縁材（枠部、枠）がなく、底板（内容器）と蓋部とからなる食品包装用容器も知られている。
他方、収納物を多く収納できるように、深底とする食品包装用容器は知られている。
丈のある蓋を用いる食品包装用容器も知られているが、蓋の丈が高いだけでは、収納物を高く積み重ねて収納すると収納物によっては、崩れる問題点を有した。
【０００３】
食品包装用容器メーカーでは、搬送効率上、内容器と蓋と枠とをそれぞれ別々に積層して積み重ね、梱包して発送する。そのため、内容器の積層収納のため、内容器隅部の辺に底面方向に凸状の内容器嵌合用凸部を設け、積層される内容器の内容器嵌合用凸部相互を嵌合させて、内容器を複数個重ねて固定して収納する。
内容器嵌合用凸部の側部には、外側に向けて内容器側部と平行に線状に突設させた枠嵌合部を設け、内容器と枠との嵌合時には、枠嵌合部を枠内側面に接触させて係止させ固定する。
食品メーカー等食品包装用容器使用者では、受け取った内容器と蓋と枠とを組み立て食品包装用容器とする。組み立てた食品包装用容器は、２段３段と上下に嵌めて積み重ねて置く。
【０００４】
「食品包装用容器を積み重ねる際には、下側の内容器の周面又は下側の蓋部の周囲に上側の枠部を載置させれば良く、内容器の周面又は蓋部の周囲に枠部を載置させた時、内容器の四隅に設けてある略Ｌ字状の突起の外面又は蓋部の側壁の外面が枠部の内面に接触するので、積み重ねた食品包装用容器が前後左右にずれにくい。」（特許文献２参照）。
蓋自体に突起を設けて係止する技術も従来から知られている。食品包装用容器相互を嵌めあわせて積み重ねるため、食品包装用容器の隅には突起、例えば小さな、突起部を設け、上段の食品包装用容器の底部に引っ掻ける係止部を設けることも知られている。食品包装用容器を重ねてもずれなくなる。
内容器四隅に突起した蓋嵌合用凸部を設け、内容器と蓋を四隅で止めることも知られている（特許文献２参照）。
【先行技術文献】
【特許文献】
【０００５】
【特許文献１】意匠登録第１５６４７８０号公報
【特許文献２】意匠登録第１５６４７８１号公報
【特許文献３】意匠登録第１５７８１３８号公報
【特許文献４】意匠登録第１５９２３４３号公報
【特許文献５】意匠登録第１５９５３８８号公報
【発明の概要】
【発明が解決しようとする課題】
【０００６】
食品包装用容器は、嵩張るので、コストダウン上からも薄くするのが望ましい。そのため、枠の上下の丈を小さくして枠の面積を少なくし、枠材料費を安価にする、あるいは搬送費用を縮小する要求がある。そのため、内容器を浅底とすることが考えられる。ただ、単純に内容器を浅底とすると収納可能な食材等収納物の量が減る課題を有する。
そこで、内容器を浅底としながら、収納物を大量に収納できるようにする必要がある。
【０００７】
そこで、発明者は、蓋を被せることが可能な内容器の側部に全周に沿って内容器の側部よりも高い壁を設けることを発想した。
プラスチックシートで、内容器の側部よりも高い壁を成型するためには、プラスチックシート端部一枚で壁とすると強度がでない。そのため、壁先端あるいは上端は、プラスチックシートを折り曲げて内側面と外側面の二面からなるように形成する必要がある。
更に、壁を形成する内側面と外側面相互にある程度間隔を開け、両者間は相互に底面側に行くほど間隔を広げたほうが壁に強度がでる。
【０００８】
そのため、内容器の側部よりも高い壁となる内容器の側面は、縁から一度上方に持ち上げて外側面とし、内側に曲げて壁頂点を形成する。内側面は底面に向けて下がるように、縁から下の内側面は、底面側に行くほど内容器内側に入り、両者は相互に底面側に行くほど間隔を広げて、プラスチック板を成型する。すると、壁の内側面の延長である側面は、内容器の縁よりも内側に位置し、側縁から距離を有する。
【０００９】
他方、従来、内容器四隅の底面側には、底面側に突起した内容器嵌合用凸部を設ける。内容器嵌合用凸部の側部は、内容器嵌合用凸部の底面方向に垂直である。内容器嵌合用凸部の底面方向に垂直な側部には、外側に向けて内容器側縁と平行に突設させた枠嵌合部を設ける。内容器と枠との嵌合時に、枠嵌合部を枠内側面に接触させて嵌合させて固定する。枠嵌合部は枠と接するため内容器の縁傍に設ける必要がある。
【００１０】
ところで、内容器の側部に全周に沿って内容器の側部よりも高い壁を設けた場合、壁の内側面と外側面相互にある程度間隔を開くことになる。そのため、仮に、枠嵌合部を壁の側縁より下の壁の内側面の延長に設けると、壁の内側面の延長は側縁から距離があるため、枠嵌合部は、かなり突起させる必要があり強度上問題を生ずる。
【００１１】
すなわち、内容器四隅に壁を設けかつ内容器嵌合用凸部を設けた場合、内容器四隅に底面側に突起した内容器嵌合用凸部に枠嵌合部を設けると、壁の側部外側に向けて枠嵌合部の外側への突起量を多くする必要がある。そのため、枠嵌合部に原料がそれだけ多量に必要となるとともに、枠嵌合部は壁の外側面に対して底面側に行くほど間隔を広げた壁の内側面から枠に嵌合するだけ突設する必要があるため、強度に問題を有する可能性がある。
【００１２】
他方、側部端部を含め端部は、プラスチックスシートからの成型上、片持ち状となり強度には限界を有する。
平面視長方形、正方形等の方形からなる内容器に、壁外側面と壁内側面とからなり、両者は相互に底面側に行くほど間隔を広げる壁を、側部に平行に連続して設けることで、側部の強度を向上させることが可能となる。
特許文献４、５記載の食品包装用容器では、「正方形の上縁の内側に底面が平らな円形状の食品収容部を有し、上縁には外枠の上端に嵌合するフランジ部が設けられ、フランジ部の四隅の内側には平面視がＬ字状の突起が設けられている。」ものであって、平面視方形の内容器の内部に略内接する円形の壁を設けているため、内容器側部についての補強効果としては内接円との接点付近の平面視正方形の側部等限られたものである。
内接円の壁と近接する接点としての側部は補強されるが、他は補強されない。
【００１３】
内容器に設けた壁で蓋に嵌めこみ、壁を、蓋と内容器との嵌合部に利用する例は従来無い。更に加えて、蓋端部に一部切れ込んだ、剥離片からなる取り外し部を設ける、あるいは内容器の角部に割れた取り外し部を設けることは従来無かった。
【課題を解決するための手段】
【００１４】
この発明は、
平面視方形からなり、蓋を被せ、周囲に枠を嵌めて取り付けることが可能な内容器の対向する両側部に沿って側部と平行に連続して内容器の側部よりも高い壁を設け、対向する両側部の対向箇所双方に壁を有する箇所を有し、
蓋と内容器の嵌合時に、内容器に設けた壁との嵌合部を蓋に設けることを特徴とする食品包装用容器を、
提供する。
【００１５】
この発明は、更に、
隅部に沿っては壁を設けない。
【００１６】
この発明は、更に、
蓋に設ける、内容器に設けた壁との嵌合部は、上部から下部へ斜めにする。
【００１７】
この発明は、更に、
壁となる内容器の側面は、内容器縁から一度上方に持ち上げて壁外側面を形成し、曲げて壁頂点を形成してから底面に向けて下げて壁内側面を形成し、壁内側面は底面側に行くほど内容器内側に入り、底面側に行くほど壁外側面との間隔を広げように設ける。
【００１８】
この発明は、更に、
内容器と蓋との嵌合部が設けられた外側の隅部に、
上下方向への取り外し部を設ける
ことを特徴とする食品包装用容器を、
提供する。
【００１９】
この発明は、更に、
壁となる内容器の側面は、内容器縁から一度上方に持ち上げて壁外側面を形成し、曲げて壁頂点を形成してから底面に向けて下げて壁内側面を形成し、壁内側面は底面側に行くほど内容器内側に入り、底面側に行くほど壁外側面との間隔を広げるように設ける。
【００２０】
この発明は、更に、
内容器の隅部からは、底面方向に凸状をなす内容器嵌合用凸部を設け、枠に嵌合させる枠嵌合部を、内容器嵌合用凸部側部に外側に向けて突設させる。
【００２１】
この発明は、更に
内容器側部の３分の１以上の長さの壁を側部に設ける。
【００２２】
この発明は、更に、
壁は、壁を除いた側部高さの１／３乃至１／４となる。
【００２３】
この発明は、更に、
内容器側部上部から５ｍｍ以上突出する高さの壁を設ける。
【００２４】
この発明は、更に、
内容器側部上部から３ｍｍ乃至１０ｍｍ突出する高さの壁を設ける。
【発明の効果】
【００２５】
この発明では、蓋を被せることが可能な内容器の側部に沿って内容器の側部よりも高い壁を設けるため、収納物の載置に安定性を有する。そのため、収納する食材の量を多くすることが可能となる。内容器は、浅底とすることができる。
食品包装用容器周囲側面全体に壁を作ると、食品包装用容器を重ねた時に、上下の食品包装用容器相互を止める底面方向に突起状の内容器嵌合用凸部を食品包装用容器の隅に設けることができない。そのため、壁は隅には作らない場合は、突起状の内容器嵌合用凸部を食品包装用容器の隅に設けることができる。
壁となる内容器の側面は、内容器縁から一度上方に持ち上げて壁外側面を形成し、曲げて壁頂点を形成してから壁内側面を形成し、底面に向けて下げ、底面側に行くほど内容器内側に入るように設けているため、壁外側面と壁内側面とは底面側に行くほど間隔を広げ、強度を有する。
【００２６】
内容器の隅部からは、底面方向に凸状をなす内容器嵌合用凸部を設けているため、内容器を重ねて収納するときに、内容器嵌合用凸部相互を嵌合させて重ねることで内容器を複数個重ねて収納ができる。
内容器嵌合用凸部側部に外側に向けて枠嵌合部を、突設させる。そのため、枠嵌合部で、内容器に枠を嵌合させたとき、枠と嵌合させる。
隅は、食品包装用容器の中央部に比べて薄くするため、手で持つときに把持部となる。
端部に一部切れ込んだ剥離片からなる取り外し部を設けるため、蓋を取りやすい。
【００２７】
更に、プラスチックシートで成形される内容器側部は、成型上、端部は片持ち状となり強度には限界を有するが、側部に平行に連続して壁を設けることで強度をだすことが可能となる。
壁を、対向する両側部に沿って側部と平行に連続して内容器の側部よりも高い壁を設け、対向する両側部の対向箇所双方に壁を有する箇所を有する。そのため、壁の当該箇所で内容器に側部方向からの強度を与え、捩じれ強度に優れる。
内容器に設けた壁で蓋に嵌めこみ、壁を、蓋と内容器との嵌合に利用することができる。
蓋に設ける、内容器に設けた壁との蓋嵌合部は、上部から下部へ斜めにする。そのため、内容器と蓋の嵌合が容易となる。
【図面の簡単な説明】
【００２８】
【図１】この発明の第１実施例の斜視図である。
【図２】この発明の第１実施例の正面図である。
【図３】この発明の第１実施例の背面図である。
【図４】この発明の第１実施例の平面図である。
【図５】この発明の第１実施例の底面図である。
【図６】この発明の第１実施例の右側面図である。
【図７】この発明の第１実施例の左側面図である。
【図８】この発明の第１実施例の蓋を外した状態の斜視図である。
【図９】この発明の第１実施例の分解斜視図である。
【図１０】この発明の第１実施例の透明部分を示す参考図である斜視図である。
【図１１】この発明の第１実施例の蓋の斜視図である。
【図１２】この発明の第１実施例の蓋の正面図である。
【図１３】この発明の第１実施例の蓋の背面図である。
【図１４】この発明の第１実施例の蓋の平面図である。
【図１５】この発明の第１実施例の蓋の底面図である。
【図１６】この発明の第１実施例の蓋の右側面図である。
【図１７】この発明の第１実施例の蓋の左側面図である。
【図１８】この発明の第１実施例の内容器の斜視図である。
【図１９】この発明の第１実施例の内容器の正面図である。
【図２０】この発明の第１実施例の内容器の背面図である。
【図２１】この発明の第１実施例の内容器の平面図である。
【図２２】この発明の第１実施例の内容器の図２１ＡＡ断面図である。
【図２３】この発明の第１実施例の内容器の図２１ＢＣＤＥ断面図である。
【図２４】この発明の第１実施例の内容器の底面図である。
【図２５】この発明の第１実施例の内容器の右側面図である。
【図２６】この発明の第１実施例の内容器の左側面図である。
【図２７】この発明の第１実施例の枠の斜視図である。
【図２８】この発明の第１実施例の枠の正面図である。
【図２９】この発明の第１実施例の枠の平面図である。
【図３０】この発明の第１実施例の枠の右側面図である。
【図３１】この発明の第２実施例における蓋と内容器と枠の嵌合状態の斜視図である。
【図３２】この発明の第２実施例における蓋と内容器と枠の嵌合状態の一部拡大斜視図である。
【図３３】この発明の第２実施例における内容器の一部拡大斜視図である。
【図３４】この発明の第２実施例における蓋の一部拡大斜視図である。
【図３５】この発明の第２実施例における蓋と内容器の嵌合状態の断面図である。
【図３６】この発明の第３実施例における蓋と内容器の嵌合状態の端部斜視図である。
【発明を実施するための形態】
【００２９】
図１乃至図３０にしたがって、この発明の実施態様に係る第１実施例について説明する。
なお、この発明の第１実施例の枠の背面図は、図２８に図示するこの発明の第１実施例の枠の正面図と同様にあらわれる。この発明の第１実施例の枠の底面図は、図２９に図示するこの発明の第１実施例の枠の平面図と同様にあらわれる。この発明の第１実施例の枠の左側面図は、図３０に図示するこの発明の第１実施例の枠の右側面図と同様にあらわれる。
【００３０】
１１は食品包装用容器である。食品包装用容器１１は、プラスチックシートを押圧成形して形成する。本件発明の実施の形態に係る食品包装用容器１１は、蓋２１と、内容器３１と、枠４１の３部分からなる。
食品包装用容器１１、内容器３１、蓋２１は、平面視方形からなるが、平面視正方形、長方形正方形でもよい。蓋２１の対向する隅２か所には、隅部２２を設ける。隅部２２は、表面平坦からなる。
【００３１】
内容器３１において、３２は側部、３３は隅部である。３４は、壁である。側部３２、側部３２との間に第２側部３７をそれぞれ設け全体として平面視長方形をなす。
壁３４は、内容器３１の側部３２に沿って内側に、内容器３１の側部３２よりも高い壁３４を設ける。第１実施例においては、壁３４は、第２側部３７まで回り込んで設けられる。
食品包装用容器１１の内容器３１側面に沿って壁３４を作る。そのため、収納する食材の量を多くすることが可能となる。蓋２１を被せるため、壁３４は縁ぎりぎりにはつくらない。
【００３２】
壁３４において、３４Ａは壁外側面、３４Ｂは壁内側面である。
図２２、図２３の断面図他に図示するように、壁３４となる内容器３１の側面は、プラスチックシートを内容器３１縁から一度上方に持ち上げて折り曲げて壁３４頂点として壁外側面３４Ａを形成する。折り曲げて壁３４頂点を形成してから底面に向けて下げて壁内側面３４Ｂを形成する。底面側に行くほど内容器３１内側に入るように設ける。
【００３３】
そのため、壁３４は、壁外側面３４Ａと壁内側面３４Ｂが、底面側に行くほど間隔を広げている。更に、壁３４は、側部３２に平行に連続して設ける。壁３４の高さは、食品包装用容器１１の側部３２より高くする。
壁外側面３４Ａから壁内側面３４Ｂまでの、底面側に行くほど間隔を広げる角度は、図２２、図２３に図示するように、中心線から壁外側面３４Ａまで、中心線から壁内側面３４Ｂまで強度維持からそれぞれ５度から１０度、壁外側面３４Ａから壁内側面３４Ｂまでの角度ａ、角度ｂは、１０度から２０度が望ましい。
この実施例では、中心線から壁外側面３４Ａまで、中心線から壁内側面３４Ｂまでは７度、壁外側面３４Ａから壁内側面３４Ｂまでの角度ａ、角度ｂは、１４度からなる。
図２３における５１は、壁３４非形成箇所である。
【００３４】
側部３２は一般に、成型上、端部は片持ち状となり強度には限界を有する。また、壁の高さが、容器の側部より高いので強度を維持する必要がある。しかし、壁外側面３４Ａと壁内側面３４Ｂとは底面側に行くほど間隔を広げるため、壁３４自体強度を有するとともに、側部３２端部を補強する。さらに、壁３４を側部３２に平行に連続して設けることで側部３２端部に強度をだすことが可能となる。壁３４は、側部３２の２分の１、少なくとも側部の３分の１の長さからなる。
壁３４を、対向する両側部に沿って側部と平行に連続して内容器の側部よりも高い壁を設け、対向する両側部の対向箇所双方に壁を有する箇所Ｗを有する。そのため、壁３４の箇所Ｗで内容器３１に両方向からの強度を与え、捩じれ強度に優れる。帯を食品包装用容器１１に掛けたときに、側部方向の強度が補強される。更に、蓋２１を被せたときに蓋の強度も上昇する。
【００３５】
食品包装用容器１１周囲側面全体に壁３４を作ると、食品包装用容器１１を重ねた時に、上下の食品包装用容器１１相互を止める底面方向に突起状の係止部、すなわち内容器嵌合用凸部３５を食品包装用容器１１の隅に設けることができない。そのため、この実施例では、側部３２に壁３４を有するが、隅部３３に沿っては壁３４を設けない。壁３４は、隅には、側部３２のようには作らず、隅３４よりも内側に設ける。
【００３６】
壁３４は、内容器３１側部３２の３分の１以上の長さの側部３２に設ける。望ましくは、略２分の１以上の長さの壁３４を側部３２に設ける。
壁３４は、内容器３１側部３２上部から突出する高さからなる。この実施例では、内容器３１の側部３２に沿って内容器３１の側部３２よりも高い壁３４を設ける。
この実施例では、壁３４は、内容器３１側部３２上部から５ｍｍ以上突出する高さに設ける。望ましくは、壁３４は、内容器３１側部３２上部から３ｍｍ乃至１５ｍｍ突出する高さに設ける。
【００３７】
内容器３１の側部３２高さは、壁３４を含めて３０ｍｍである。そのうち７ｍｍは、壁３４である。壁３４を除いた側部３２高さは２３ｍｍとなる。壁３４は、壁３４を除いた側部３２高さの１／３乃至１／４となる。
従来は小さな、突起部であったため、収納物の収納量には限界があったため、収納物の載置に安定性を有した。
この実施例では、壁３４を有するため、収納する食材の量を多くすることが可能となる。内容器３１は、浅底とすることができる。
【００３８】
３５は、内容器嵌合用凸部である。内容器嵌合用凸部３５は、内容器３１の隅部３３から、隅部３３の辺と壁３４との間に底面方向に凸状をなして設ける。
内容器嵌合用凸部３５は、食品包装用容器１１相互を重ねた時に、相互に係止するための、底面に突起する係止部として、食品包装用容器１１の隅に設けている。内容器嵌合用凸部３５を設けているため、内容器３１相互を重ねて収納するときに、内容器嵌合用凸部３５相互を嵌合させて重ねることで内容器３１を複数個重ねて収納ができる。
３８は、仕切り用凸部である。仕切り用凸部３８は、底凹部３９を区分して、収納物の区別を可能とする。
【００３９】
３６は、枠嵌合部である。枠嵌合部３６は、内容器嵌合用凸部３５の底面方向に垂直な面からなる側部３２に、外側に向けて水平に、突設させる。枠嵌合部３６は内容器３１側部３２に平行である。内容器３１に枠４１を嵌合させたとき、枠嵌合部３６で枠４１と嵌合させる。
枠嵌合部３６は底凹部３９からも底面方向に垂直な側部３２に、外側に向けて突設させて設ける。
【００４０】
枠４１は、内容器３１の外周に沿った平面視長方形状の板状体からなり、内容器３１の周囲には枠４１を嵌めて取り付ける。
２１は、蓋である。蓋２１上部に上方に突設する蓋突起２３を設ける。蓋突起２３は、隅部２２を設けた２隅では、隅部２２より内側に設ける。
【００４１】
内容器３１には、蓋２１を被せる。
食品包装用容器１１の蓋２１の蓋突起２３より外側の隅に設けた隅部２２は、食品包装用容器１１の中央部に比べて薄くするため、手で持つときに把持部となる。
【００４２】
第２実施例について図３１乃至図３５に基づいて説明する。
第２実施例では、内容器３１の対向する両側部の対向箇所双方に壁を有する箇所を有する。蓋２１には、蓋嵌合部２５を設ける。蓋嵌合部２５は、蓋２１と内容器３１の嵌合時に、内容器３１に設けた壁３４との蓋２１の嵌合箇所に設ける。
両側部で、蓋嵌合部２５と壁３４により、蓋２１と内容器３１を嵌合するため、嵌合が安定する。
【００４３】
この実施例では、蓋２１に設ける、内容器３１に設けた壁３４との蓋嵌合部２５の端部である嵌合端部２５１は、上部から下部へ向けて斜めになった内容器の壁端部３４１の形状に合わせて斜めに設ける。そのため、内容器３１と蓋２１の嵌合が容易となる。
内容器３１に設けた壁３４で蓋２１に嵌めこみ、壁３４を、蓋２１と内容器３１との嵌合に利用することができる。
蓋２１に設ける、内容器３１に設けた壁３４との蓋嵌合部２５は、上部から下部へ斜めにする。そのため、壁３４との蓋嵌合部２５との嵌合、内容器３１と蓋２１の嵌合が容易となる。
【００４４】
図３６に図示するように、食品包装用容器１１の隅に設ける内容器嵌合用凸部３５の外側の蓋２１端部には、中央部に一部切れ込みを設けた剥離片からなる取り外し部２４を設けてもよい。内容器３１の隅部３３にも取り外し部３３１を設ける。取り外し部２４と取り外し部３３１を相互に上下反対方向に引っ張ることにより、蓋２１を内容器３１から取り外しやすくなる。
内容器３１側に設けた取り外し部３３１と、蓋体２１に設けた取り外し部２４が内容器３１と蓋体２１の積層方向に重複しないように設ける。
そのため、嵌合が外しやすい
第２実施例は、他の構成作用効果は、第１実施例と同じである。
【００４５】
図３６は第３実施例の隅部３３である。
内容器３１側に設けた取り外し部３３１と、蓋体２１に設けた取り外し部２４との間の内容器嵌合用凸部３５の上に平坦部２６を設ける。
平坦部２６に指をおいて手掛かりとして、取り外し部２４を持ち上げて、取り外し部３３１と取り外し部２４で内容器３１と蓋２１とを取り外す。
第３実施例は、他の構成作用効果は第１実施例と同じである。
【符号の説明】
【００４６】
１１    食品包装用容器
２１    蓋
２５    蓋嵌合部
３１    内容器
３２    側部
３３    隅部
３４    壁
３４Ａ  壁外側面
３４Ｂ  壁内側面
３５    内容器嵌合用凸部
３６    枠嵌合部
３７    第２側部
４１    枠
【図１】
2020006987.tif 000003
【図２】
2020006987.tif 000004
【図３】
2020006987.tif 000005
【図４】
2020006987.tif 000006
【図５】
2020006987.tif 000007
【図６】
2020006987.tif 000008
【図７】
2020006987.tif 000009
【図８】
2020006987.tif 000010
【図９】
2020006987.tif 000011
【図１０】
2020006987.tif 000012
【図１１】
2020006987.tif 000013
【図１２】
2020006987.tif 000014
【図１３】
2020006987.tif 000015
【図１４】
2020006987.tif 000016
【図１５】
2020006987.tif 000017
【図１６】
2020006987.tif 000018
【図１７】
2020006987.tif 000019
【図１８】
2020006987.tif 000020
【図１９】
2020006987.tif 000021
【図２０】
2020006987.tif 000022
【図２１】
2020006987.tif 000023
【図２２】
2020006987.tif 000024
【図２３】
2020006987.tif 000025
【図２４】
2020006987.tif 000026
【図２５】
2020006987.tif 000027
【図２６】
2020006987.tif 000028
【図２７】
2020006987.tif 000029
【図２８】
2020006987.tif 000030
【図２９】
2020006987.tif 000031
【図３０】
2020006987.tif 000032
【図３１】
2020006987.tif 000033
【図３２】
2020006987.tif 000034
【図３３】
2020006987.tif 000035
【図３４】
2020006987.tif 000036
【図３５】
2020006987.tif 000037
【図３６】
2020006987.tif 000038